(57)【特許請求の範囲】
【請求項１】
他移動体網に加入している移動体端末（以下、「ローミング移動体端末」と称す。）に対して、自移動体網での発着信サービスを提供するローミング機能を有する移動体網において、
ローミング移動体端末に対して、該ローミング移動体端末が加入している他移動体網で提供されている、発着信サービス以外の付加サービスを提供する方法であって、
発呼元のローミング移動体端末から付加サービスが要求された場合に、自移動体網で該付加サービスを提供可能か否かを判断し、
自移動体網で提供可能であると判断した場合には、発呼元のローミング移動体端末に対して、要求された付加サービスを提供し、
自移動体網で提供不可能であると判断した場合には、発呼元のローミング移動体端末が加入している他移動体網に対して、要求された付加サービスが自移動体網で提供可能となるか否かを問い合わせ、
問い合わせ先の他移動体網から、付加サービスを自移動体網で提供可能とするために必要な情報が返送された場合には、該情報を用いて、発呼元のローミング移動体端末に対して、要求された付加サービスを提供し、
問い合わせ先の他移動体網から、付加サービスが自移動体網で提供可能とならない旨が返送された場合には、該他移動体網にルーチングすることで、要求された付加サービスの提供を、ルーチング先の他移動体網に行ってもらうことを特徴とする、ローミング移動体端末への付加サービス提供方法。
【請求項２】
請求項１記載のローミング移動体端末への付加サービス提供方法であって、
他移動体網から、付加サービスが提供可能となるか否かの問い合わせがあった場合に、該付加サービスが、発着信サービスに変換される付加サービスであるか否かを判断し、
発着信サービスに変換される付加サービスである場合には、問い合わせ元の他移動体網に対して、変換後の発着信サービスにおける着呼先情報を返送し、
発着信サービスに変換される付加サービスでない場合には、問い合わせ元の他移動体網に対して、付加サービスが提供可能とならない旨を返送することを特徴とする、ローミング移動体端末への付加サービス提供方法。
【発明の詳細な説明】
【０００１】
【発明の属する技術分野】
本発明は、ある移動体網で発着信サービス以外の付加サービスを契約している移動体端末が、該付加サービスを提供していない他移動体網のサービスエリアに移動する場合に有効な技術に関する。
【０００２】
【従来の技術】
現在、異なる事業者によって構築されて運用されている複数の移動体網の多くは、他移動体網に加入している移動体端末に対して、自移動体網での発着信サービスを提供するローミング機能を有するようになっている。
【０００３】
ローミング機能によって、移動体端末は、自身が加入している移動体網以外の他移動体網のサービスエリアに移動した場合でも、移動先のサービスエリアで発着信を行うことが可能となるので、移動体端末のユーザは、自身が加入している移動体網のサービスエリアを意識する必要がなくなる。
【０００４】
このように、従来は、基本的なサービスである発着信サービスについては、異なる事業者間で提供し合うことによって、ユーザの利便性を向上させていた。
【０００５】
【発明が解決しようとする課題】
ところで、各移動体網は、発着信サービス以外の様々な付加サービスを提供することで、ユーザ獲得を図っている。
【０００６】
これらの付加サービスは、各移動体網が独自に提供しているものであるので、複数の移動体網で同じ付加サービスが提供される場合があるものの、全ての移動体網で共通に提供されなければならないものではない。
【０００７】
そこで、従来は、移動体端末は、自身が加入している移動体網で契約している付加サービスを提供していない他移動体網のサービスエリアに移動した（ローミングした）場合には、ローミング先の移動体網で該付加サービスを受けることができなかった。
【０００８】
本発明の目的は、移動体端末が、自身が加入している移動体網で受けていた全ての付加サービスを、ローミング先の移動体網でも受けられるようにすることにある。
【０００９】
【課題を解決するための手段】
上記目的を達成するために、本発明は、第１に、
他移動体網に加入している移動体端末（以下、「ローミング移動体端末」と称す。）に対して、自移動体網での発着信サービスを提供するローミング機能を有する移動体網において、
ローミング移動体端末に対して、該ローミング移動体端末が加入している他移動体網で提供されている、発着信サービス以外の付加サービスを提供する方法であって、
発呼元のローミング移動体端末から付加サービスが要求された場合に、自移動体網で該付加サービスを提供可能か否かを判断し、
自移動体網で提供可能であると判断した場合には、発呼元のローミング移動体端末に対して、要求された付加サービスを提供し、
自移動体網で提供不可能であると判断した場合には、発呼元のローミング移動体端末が加入している他移動体網にルーチングすることで、要求された付加サービスの提供を、ルーチング先の他移動体網に行ってもらうことを特徴とした、ローミング移動体端末への付加サービス提供方法を提示している。
【００１０】
また、本発明は、第２に、
他移動体網に加入している移動体端末（以下、「ローミング移動体端末」と称す。）に対して、自移動体網での発着信サービスを提供するローミング機能を有する移動体網において、
ローミング移動体端末に対して、該ローミング移動体端末が加入している他移動体網で提供されている、発着信サービス以外の付加サービスを提供する方法であって、
発呼元のローミング移動体端末から付加サービスが要求された場合に、自移動体網で該付加サービスを提供可能か否かを判断し、
自移動体網で提供可能であると判断した場合には、発呼元のローミング移動体端末に対して、要求された付加サービスを提供し、
自移動体網で提供不可能であると判断した場合には、発呼元のローミング移動体端末が加入している他移動体網に対して、要求された付加サービスが自移動体網で提供可能となるか否かを問い合わせ、
問い合わせ先の他移動体網から、付加サービスを自移動体網で提供可能とするために必要な情報が返送された場合には、該情報を用いて、発呼元のローミング移動体端末に対して、要求された付加サービスを提供し、
問い合わせ先の他移動体網から、付加サービスが自移動体網で提供可能とならない旨が返送された場合には、該他移動体網にルーチングすることで、要求された付加サービスの提供を、ルーチング先の他移動体網に行ってもらうことを特徴とした、ローミング移動体端末への付加サービス提供方法を提示している。
【００１１】
なお、他移動体網から、付加サービスが提供可能となるか否かの問い合わせがあった移動体網は、
この際に、該付加サービスが、発着信サービスに変換される付加サービスであるか否かを判断し、
発着信サービスに変換される付加サービスである場合には、問い合わせ元の他移動体網に対して、変換後の発着信サービスにおける着呼先情報を返送し、
発着信サービスに変換される付加サービスでない場合には、問い合わせ元の他移動体網に対して、付加サービスが提供可能とならない旨を返送するようにすることができる。
【００１２】
【発明の実施の形態】
以下、本発明の実施の形態について図面を参照して説明する。
【００１３】
（第１の実施形態）
まず、本発明の第１の実施形態について説明する。
【００１４】
図１に、第１の実施形態に係る網構成例を示す。
【００１５】
図１に示すように、第１の実施形態は、各々サービスエリアが異なるＡ網１０１およびＢ網１０２の２つの移動体網からなる網構成を例にしている。
【００１６】
Ａ網１０１は、Ａ網１０１でのサービスの提供を実現するためのサービス呼制御機能を有するサービス制御局（Ａ網ＳＣＰ）１０４と、Ａ網１０１に加入している移動体端末を収容する移動体交換機（Ａ網ＬＳ交換機）１０６と、Ｂ網１０２へのゲートウェイ機能を有する関門交換機（Ａ網関門交換機）１０５とを備えて構成されている。
【００１７】
Ｂ網１０２も、Ａ網１０１と同様に、Ｂ網１０２でのサービスの提供を実現するためのサービス呼制御機能を有するサービス制御局（Ｂ網ＳＣＰ）１０７と、Ｂ網１０２に加入している移動体端末を収容する移動体交換機（Ｂ網ＬＳ交換機）１０８と、Ａ網１０１へのゲートウェイ機能を有する関門交換機（Ｂ網関門交換機）１０９とを備えて構成されている。
【００１８】
なお、図１において、１１０および１１１は、Ａ網１０１に加入している移動体端末であり、移動体端末１１０は、Ａ網１０１のサービスエリア内に位置し、移動体端末１１１は、Ｂ網１０２のサービスエリア内に移動している（ローミングしている）例を示している。そこで、以下の説明では、移動体端末１１１のことを、「ローミング移動体端末」と呼ぶ。
【００１９】
また、移動体端末１１０およびローミング移動体端末１１１は、Ａ網１０１のサービスエリア内で内線番号によって互いに発着信できるようにする内線番号サービスという付加サービスを、Ａ網１０１の事業者と契約していることとする。さらに、この内線番号サービスは、Ｂ網１０２のサービスエリアでは提供されないサービスであることとする。
【００２０】
また、Ａ網ＳＣＰ１０４，Ａ網ＬＳ交換機１０６，Ａ網関門交換機１０５，Ｂ網ＳＣＰ１０７，Ｂ網ＬＳ交換機１０８，Ｂ網関門交換機１０９は、共通線網１０３を介して共通線信号を送受信する。
【００２１】
図２に、Ａ網ＳＣＰ１０４が管理している管理データの構成例を示す。
【００２２】
図２に示すように、Ａ網ＳＣＰ１０４が管理しているＡ網ＳＣＰ管理データ２０１は、Ａ網１０１に加入している移動体端末の識別情報である機体番号２０２と、ローミング先網によって一時的に割り当てられた発着信用番号であるローミング番号２０３と、契約している付加サービスに関する情報であるサービスプロファイル２０４とを対応付けた構成となっている。
【００２３】
図１の例では、Ａ網１０１に加入している移動体端末１１０がＡ網１０１のサービスエリア内に位置しており、ローミング移動体端末１１１がＢ網１０２のサービスエリア内にローミングしているので、Ａ網ＳＣＰ管理データ２０１において、移動体端末１１０の機体番号２０２に対応するローミング番号２０３には、何も格納されず、ローミング移動体端末１１１の機体番号２０２に対応するローミング番号２０３には、ローミング先網であるＢ網１０２によって一時的に割り当てられたローミング番号が格納されている。
【００２４】
また、加入者の移動体端末１１０およびローミング移動体端末１１１が内線番号サービスを契約しているので、Ａ網ＳＣＰ管理データ２０１において、移動体端末１１０およびローミング移動体端末１１１の各々に対応するサービスプロファイル２０４には、内線番号サービス情報２０５として、内線番号−ルーチング番号対応表２０６が格納されている。
【００２５】
なお、内線番号−ルーチング番号対応表２０６は、図４に示すように、内線番号４０１と、ルーチングすべき機体番号であるルーチング番号４０２とが対応付けて格納されたテーブルである。
【００２６】
図３に、Ｂ網ＳＣＰ１０７が管理している管理データの構成例を示す。
【００２７】
図３に示すように、Ｂ網ＳＣＰ１０７が管理しているＢ網ＳＣＰ管理データ３０１は、Ｂ網１０２に加入していない移動体端末であり、かつ、Ｂ網１０２のサービスエリアに位置している移動体端末の識別情報である機体番号３０２と、Ｂ網１０２で一時的に割り当てた発着信用番号であるローミング番号３０３とを対応付けた構成となっている。
【００２８】
図１の例では、Ａ網１０１に加入しているローミング移動体端末１１１がＢ網１０２のサービスエリア内にローミングしているので、Ｂ網ＳＣＰ管理データ３０１には、ローミング移動体端末１１１の機体番号３０２と、Ｂ網１０２で一時的に割り当てたローミング番号３０３とが格納されている。
【００２９】
なお、Ａ網ＳＣＰ１０４も、Ｂ網ＳＣＰ管理データ３０１の内容と同様に、Ａ網１０１にローミングしている移動体端末に対するサービス（発着信サービス）を実現するためのデータを管理し、また、Ｂ網ＳＣＰ１０７も、Ａ網ＳＣＰ管理データ２０１と同様に、Ｂ網１０２に加入している移動体端末に対するサービス（発着信サービスおよび付加サービス）を実現するためのデータを管理するようになっているが、図２および図３では、図１の例に即した部分のみを例示している。
【００３０】
さて、以下に、第１の実施形態における動作について、内線番号サービスを契約しているローミング移動体端末１１１が、Ｂ網１０２のサービスエリア内で、内線番号を用いて移動体端末１１０に発信した場合を例にして、図５のシーケンス図を用いて説明する。
【００３１】
ローミング移動体端末１１１のユーザは、自身が位置しているサービスエリアを意識することなく、内線番号を用いて移動体端末１１０への発信操作を行う。
【００３２】
ローミング移動体端末１１１のユーザが、内線番号を用いて移動体端末１１０への発信操作を行うと、図５に示すように、ローミング移動体端末１１１は、Ｂ網ＬＳ交換機１０９に対して、呼設定信号を送信する（Ｓ５０１）。
【００３３】
なお、このとき送信される呼設定信号には、移動体端末１１０の内線番号が、発信先番号として設定されている。
【００３４】
ローミング移動体端末１１１からの呼設定信号を受信したＢ網ＬＳ交換機１０９は、Ａ網ＳＣＰ１０４に対して、Ｂ網ＳＣＰ１０７を経由して、認証情報収集を要求し（Ｓ５０２，Ｓ５０３）、Ａ網ＳＣＰ１０４から認証情報を収集する（Ｓ５０４，Ｓ５０５）。そして、収集した認証情報に基づいて、発信元のローミング移動体端末１１１の認証を行う（Ｓ５０６）。
【００３５】
続いて、Ｂ網ＬＳ交換機１０９は、認証結果がＯＫである場合には、発信元のローミング移動体端末１１１から受信した呼設定信号を解析するが、このとき、呼設定信号に設定されている発信先番号（移動体端末１１０の内線番号）が、自身が処理不可能な番号であることを認識するので、Ｂ網１０２ではサービス提供が不可能であると判断し、発信元のローミング移動体端末１１１の機体番号から、呼のルーチング先がＡ網１０１であると決定する（Ｓ５０７）。
【００３６】
続いて、Ｂ網ＬＳ交換機１０９は、ルーチング先がＡ網１０１であると決定すると、Ａ網関門交換機１０５に対して、Ｂ網関門交換機１０８を経由して、呼設定信号を送信する（Ｓ５０８，Ｓ５０９）。
【００３７】
なお、第１の実施形態においては、Ｂ網ＬＳ交換機１０９は、このとき送信する呼設定信号に、発信元のローミング移動体端末１１１から受信した呼設定信号に設定されている発信先番号（移動体端末１１０の内線番号）、および、発信元のローミング移動体端末１１１の機体番号を設定するようにする。
【００３８】
Ｂ網ＬＳ交換機１０９からの呼設定信号を受信したＡ網ＬＳ交換機１０６は、受信した呼設定信号を解析するが、このとき、呼設定信号に設定されている発信先番号（移動体端末１１０の内線番号）から、内線番号サービスであることを認識し、Ａ網ＳＣＰ１０４に対して、内線番号サービスを起動するよう指示する（Ｓ５１０）。
【００３９】
なお、このとき、Ａ網関門交換機１０５は、Ａ網ＳＣＰ１０４に対して、Ｂ網ＬＳ交換機１０９から受信した呼設定信号に設定されている発信先番号（移動体端末１１０の内線番号）および機体番号（ローミング移動体端末１１１の機体番号）を通知するようにする。
【００４０】
内線番号サービスの起動が指示されたＡ網ＳＣＰ１０４は、Ａ網関門交換機１０５から通知された発信先番号（移動体端末１１０の内線番号）に基づいてルーチング番号を決定する（Ｓ５１１）。詳しくは、Ａ網ＳＣＰ１０４は、図２に示したＡ網ＳＣＰ管理データ２０１中の内線番号−ルーチング番号対応表２０６を参照することで、移動体端末１１０の内線番号に対応するルーチング番号（移動体端末１１０の機体番号）を検索する。
【００４１】
続いて、Ａ網ＳＣＰ１０４は、Ａ網関門交換機１０５に対して、決定したルーチング番号を通知する（Ｓ５１２）。
【００４２】
Ａ網ＳＣＰ１０４からルーチング番号が通知されたＡ網関門交換機１０５は、移動体端末１１０に対して、Ａ網ＬＳ交換機１０６を経由して、呼設定信号を送信し、移動体端末１１０を呼び出す（Ｓ５１３，Ｓ５１４）。
【００４３】
なお、このとき送信される呼設定信号には、Ａ網ＳＣＰ１０４から通知されたルーチング番号（移動体端末１１０の機体番号）が設定される。
【００４４】
ただし、内線番号サービスが契約制である場合には、Ａ網ＳＣＰ１０４は、図２に示したＡ網ＳＣＰ管理データ２０１中のサービスプロファイル２０４を参照することで、Ａ網関門交換機１０５から機体番号が通知されたローミング移動体端末１１１が、内線番号サービスを契約していない移動体端末であるならば、ルーチング番号を検索できないので、Ａ網関門交換機１０５に対して、その旨を通知し、Ａ網関門交換機１０５は、Ｂ網ＬＳ交換機１０９から呼設定信号を受信した呼を呼損とする。
【００４５】
上述したように、第１の実施形態においては、内線番号サービスを契約しているローミング移動体端末１１１が、ローミング先網であるＢ網１０２のサービスエリア内で、内線番号を用いて移動体端末１１０に発信した場合に、Ｂ網ＬＳ交換機１０９が、Ｂ網１０２で内線番号サービスを提供できないことを判断し、ローミング移動体端末１１１の機体番号からルーチング先の移動体網（Ａ網１０１）を決定し、Ｂ網ＬＳ交換機１０９からＡ網関門交換機１０５に対して呼設定を行うことで、ローミング移動体端末１１１に内線番号サービスが提供されるようにしている。
【００４６】
図６に、Ｂ網ＬＳ交換機１０９の処理のうちの、図５における発信者認証（Ｓ３０６）以降の処理のフローチャートを示す。
【００４７】
図６に示すように、Ｂ網ＬＳ交換機１０９は、発信者の認証結果がＯＫである場合には（ステップ６０１）、要求されている付加サービスが、自移動体網で提供可能であるか否かを判断し（ステップ６０２）、提供可能であるならば、呼設定処理を続行する（ステップ６０３）。
【００４８】
また、Ｂ網ＬＳ交換機１０９は、要求されている付加サービスが、自移動体網で提供不可能であるならば、要求元の移動体端末の機体番号から、ルーチング先となる移動体網を決定し（ステップ６０４）、決定したルーチング先の移動体網に対して、呼設定信号を送信することで、呼をルーチングする（ステップ６０５）。
【００４９】
以上説明したように、第１の実施形態によれば、ある移動体網で付加サービスを契約している移動体端末が、該付加サービスを提供していない他の移動体網にローミングした場合でも、該付加サービスを、ローミング先の移動体網で受けられるようにすることができる。すなわち、移動体端末は、自身が加入している移動体網で受けていた全ての付加サービスを、ローミング先の移動体網でも受けられるようになる。
【００５０】
（第２の実施形態）
次に、本発明の第２の実施形態について説明する。
【００５１】
第２の実施形態に係る網構成例は、図１と同様であり、Ａ網ＳＣＰ１０４およびＢ網ＳＣＰ１０７が管理している管理データの構成例も、図２〜図４と同様である。
【００５２】
さて、以下に、第２の実施形態における動作について、内線番号サービスを契約しているローミング移動体端末１１１が、Ｂ網１０２のサービスエリア内で、内線番号を用いて移動体端末１１０に発信した場合を例にして、図７のシーケンス図を用いて説明する。
【００５３】
ローミング移動体端末１１１のユーザは、自身が位置しているサービスエリアを意識することなく、内線番号を用いて移動体端末１１０への発信操作を行う。
【００５４】
ローミング移動体端末１１１のユーザが、内線番号を用いて移動体端末１１０への発信操作を行うと、図７に示すように、ローミング移動体端末１１１は、Ｂ網ＬＳ交換機１０９に対して、呼設定信号を送信する（Ｓ７０１）。
【００５５】
なお、このとき送信される呼設定信号には、移動体端末１１０の内線番号が、発信先番号として設定されている。
【００５６】
ローミング移動体端末１１１からの呼設定信号を受信したＢ網ＬＳ交換機１０９は、Ａ網ＳＣＰ１０４に対して、Ｂ網ＳＣＰ１０７を経由して、認証情報収集を要求し（Ｓ７０２，Ｓ７０３）、Ａ網ＳＣＰ１０４から認証情報を収集する（Ｓ７０４，Ｓ７０５）。そして、収集した認証情報に基づいて、発信元のローミング移動体端末１１１の認証を行う（Ｓ７０６）。
【００５７】
続いて、Ｂ網ＬＳ交換機１０９は、認証結果がＯＫである場合には、発信元のローミング移動体端末１１１から受信した呼設定信号を解析するが、このとき、呼設定信号に設定されている発信先番号（移動体端末１１０の内線番号）が、自身が処理不可能な番号であることを認識するので、Ｂ網１０２ではサービス提供が不可能であると判断し、Ａ網ＳＣＰ１０４に対して、Ｂ網ＳＣＰ１０７を経由して、内線番号サービスを起動するよう指示する（Ｓ７０７，Ｓ７０８）。
【００５８】
なお、このとき、第２の実施形態においては、Ｂ網ＬＳ交換機１０９は、Ａ網ＳＣＰ１０４に対して、Ｂ網ＳＣＰ１０７を経由して、発信元のローミング移動体端末１１１から受信した呼設定信号に設定されている発信先番号（移動体端末１１０の内線番号）および機体番号（ローミング移動体端末１１１の機体番号）を通知するようにする。ただし、Ｂ網ＬＳ交換機１０９は、起動を指示する付加サービスが内線番号サービスであるとは認識できてはいないが、サービスの起動先がＡ網ＳＣＰ１０４であることは、発信元のローミング端末１１１の機体番号から認識することができる。
【００５９】
内線番号サービスの起動が指示されたＡ網ＳＣＰ１０４は、Ｂ網ＬＳ交換機１０９から通知された発信先番号（移動体端末１１０の内線番号）に基づいてルーチング番号を決定する（Ｓ７０９）。詳しくは、Ａ網ＳＣＰ１０４は、図２に示したＡ網ＳＣＰ管理データ２０１中の内線番号−ルーチング番号対応表２０６を参照することで、移動体端末１１０の内線番号に対応するルーチング番号（移動体端末１１０の機体番号）を検索する。
【００６０】
続いて、Ａ網ＳＣＰ１０４は、Ｂ網ＬＳ交換機１０９に対して、Ｂ網ＳＣＰ１０７を経由して、決定したルーチング番号を通知する（Ｓ７１０，Ｓ７１１）。
【００６１】
Ａ網ＳＣＰ１０４からルーチング番号が通知されたＢ網ＬＳ交換機１０９は、Ａ網関門交換機１０５に対して、Ｂ網関門交換機１０８を経由して、呼設定信号を送信する（Ｓ７１２，Ｓ７１３）。
【００６２】
なお、第２の実施形態においては、Ｂ網ＬＳ交換機１０９は、このとき送信する呼設定信号に、Ａ網ＳＣＰ１０４から通知されたルーチング番号（移動体端末１１０の機体番号）、および、発信元のローミング移動体端末１１１の機体番号を設定するようにする。
【００６３】
Ｂ網ＬＳ交換機１０９からの呼設定信号を受信したＡ網関門交換機１０５は、移動体端末１１０に対して、Ａ網ＬＳ交換機１０６を経由して、呼設定信号を送信し、移動体端末１１０を呼び出す（Ｓ７１４，Ｓ７１５）。
【００６４】
なお、このとき送信される呼設定信号には、Ｂ網ＬＳ交換機１０９から受信した呼設定信号に設定されているルーチング番号（移動体端末１１０の機体番号）が設定される。
【００６５】
ただし、内線番号サービスが契約制である場合には、Ａ網ＳＣＰ１０４は、図２に示したＡ網ＳＣＰ管理データ２０１中のサービスプロファイル２０４を参照することで、Ａ網関門交換機１０５から機体番号が通知されたローミング移動体端末１１１が、内線番号サービスを契約していない移動体端末であるならば、ルーチング番号を検索できないので、Ｂ網ＬＳ交換機１０９に対して、Ｂ網ＳＣＰ１０７を経由して、その旨を通知し、Ｂ網ＬＳ交換機は、ローミング移動体端末１１１から呼設定信号を受信した呼を呼損とする。
【００６６】
上述したように、第２の実施形態においては、内線番号サービスを契約しているローミング移動体端末１１１が、ローミング先網であるＢ網１０２のサービスエリア内で、内線番号を用いて移動体端末１１０に発信した場合に、Ｂ網ＬＳ交換機１０９が、Ｂ網１０２で内線番号サービスを提供できないことを判断し、Ｂ網ＬＳ交換機１０９から、Ｂ網ＳＣＰ１０７を経由して、ローミング移動体端末１１１が加入している移動体網（Ａ網１０１）のＡ網ＳＣＰ１０４に対してサービス起動を指示することで、ローミング移動体端末１１１に内線番号サービスが提供されるようにしている。
【００６７】
図８に、Ｂ網ＬＳ交換機１０９の処理のうちの、図７における発信者認証（Ｓ７０６）以降の処理のフローチャートを示す。
【００６８】
図８に示すように、Ｂ網ＬＳ交換機１０９は、発信者の認証結果がＯＫである場合には（ステップ８０１）、要求されている付加サービスが、自移動体網で提供可能であるか否かを判断し（ステップ８０２）、提供可能であるならば、呼設定処理を続行する（ステップ８０３）。
【００６９】
また、Ｂ網ＬＳ交換機１０９は、要求されている付加サービスが、自移動体網で提供不可能であるならば、Ａ網ＳＣＰ１０４に対してサービス起動を指示し、ルーチング番号を収集する（ステップ８０４）。
【００７０】
ここで、Ｂ網ＬＳ交換機１０９は、ルーチング番号が収集できなかった場合は（ステップ８０５）、Ａ網１０１でもサービス提供不可能であると判断し、呼損とする（ステップ８０６）。
【００７１】
また、Ｂ網ＬＳ交換機１０９は、ルーチング番号が収集できた場合は（ステップ８０５）、収集したルーチング番号に基づいた送信先に対して、呼設定信号を送信することで、ルーチング番号の移動体端末を呼び出す（ステップ８０７）。
【００７２】
以上説明したように、第２の実施形態によれば、第１の実施形態と同様に、ある移動体網で付加サービスを契約している移動体端末が、該付加サービスを提供していない他の移動体網にローミングした場合でも、該付加サービスを、ローミング先の移動体網で受けられるようにすることができる。すなわち、移動体端末は、自身が加入している移動体網で受けていた全ての付加サービスを、ローミング先の移動体網でも受けられるようになる。
【００７３】
ところで、第１の実施形態および第2の実施形態においては、ローミング移動体端末１１１が要求する付加サービスが、内線番号サービスである場合を例にして説明している。内線番号サービスは、内線番号を用いた発着信を許可するサービスであるが、内線番号を用いた発呼は、該内線番号に対応するルーチング番号（機体番号）を用いた発呼に変換されることから、内線番号サービスは、最終的に、発着信サービスに変換される付加サービスである。
【００７４】
そこで、内線番号サービスを提供していないＢ網１０２であっても、該内線番号サービスが発着信サービスに変換された後は、変換後の発着信サービスを、ローミング移動体端末１１１に提供することができるので、第2の実施形態においては、Ａ網ＳＣＰ１０４が、Ｂ網ＬＳ交換機１０９からサービス起動が指示された場合に、決定したルーチング番号を、変換後の発着信サービスにおける着呼先情報（発信先番号）として、Ｂ網ＬＳ交換機１０９に通知するようにしている。
【００７５】
しかしながら、実際には、全ての付加サービスが、発着信サービスに変換される付加サービスであるとは限らないので、Ｂ網ＬＳ交換機１０９からＡ網ＳＣＰ１０４に対するサービス起動の指示は、実際には、付加サービスがＢ網１０２で提供可能となるか否かを問い合わせることに相当し、Ａ網ＳＣＰ１０４は、Ｂ網ＬＳ交換機１０９からサービス起動が指示された付加サービスが、発着信サービスに変換される付加サービスである場合には、変換後の発着信サービスにおける着呼先情報（第2の実施形態では、ルーチング番号に相当する。）を返送するが、発着信サービスに変換される付加サービスでない場合には、付加サービスが提供可能とならない旨を返送するようにすることで、Ｂ網ＬＳ交換機１０９からの問合せに回答するようにする。
【００７６】
そして、Ｂ網ＬＳ交換機１０９は、問い合わせ先のＡ網ＳＣＰ１０４から、付加サービスをＢ網１０２で提供可能とするために必要な情報、すなわち、変換後の発着信サービスにおける着呼先情報が返送された場合には、該情報を用いて、発呼元のローミング移動体端末１１１に対して、要求された付加サービスを提供する。これは、第2の実施形態では、Ｂ網ＬＳ交換機１０９が、Ａ網ＳＣＰ１０４から通知されたルーチング番号を設定した呼設定信号を送信することに相当する。
【００７７】
なお、Ｂ網ＬＳ交換機１０９は、問い合わせ先のＡ網ＳＣＰ１０４から、付加サービスがＢ網１０２で提供可能とならない旨が返送された場合には、発呼元のローミング移動体端末１１１に対して、要求された付加サービスを提供することができないこととなる。これは、第2の実施形態では、Ｂ網ＬＳ交換機１０９が、Ａ網ＳＣＰ１０４からルーチング番号を収集できないことに相当しており、この場合、Ｂ網ＬＳ交換機１０９は、ローミング移動体端末１１１からの呼を呼損としている。
【００７８】
ただし、第2の実施形態に、第１の実施形態を組み合わせるようにすれば、Ｂ網ＬＳ交換機１０９は、ローミング移動体端末１１１から要求された付加サービスが、発着信サービスに変換される付加サービスではなく、問い合わせ先のＡ網ＳＣＰ１０４から、該付加サービスがＢ網１０２で提供可能とならない旨が返送された場合であっても、呼損とせずに、ローミング移動体端末１１１の機体番号からルーチング先の移動体網（Ａ網１０１）を決定し、Ｂ網ＬＳ交換機１０９からＡ網関門交換機１０５に対して呼設定を行うことで、要求された付加サービスの提供を、ルーチング先のＡ網１０１に行ってもらうようにすることができ、サービス性を考えると、このようにすることが好ましい。
【００７９】
【発明の効果】
以上説明したように、本発明によれば、ある移動体網で付加サービスを契約している移動体端末が、該付加サービスを提供していない他の移動体網にローミングした場合でも、該付加サービスを、ローミング先の移動体網で受けられるようにすることができる。
【図面の簡単な説明】
【図１】第１の実施形態に係る網構成例を示す説明図。
【図２】Ａ網ＳＣＰが管理している管理データの構成例を示す説明図。
【図３】Ｂ網ＳＣＰが管理している管理データの構成例を示す説明図。
【図４】内線番号−ルーチング番号対応表の構成例を示す説明図。
【図５】第１の実施形態における動作を示すシーケンス図。
【図６】Ｂ網ＬＳ交換機の処理のうちの、図５における発信者認証以降の処理のフローチャート。
【図７】第２の実施形態における動作を示すシーケンス図。
【図８】Ｂ網ＬＳ交換機の処理のうちの、図７における発信者認証以降の処理のフローチャート。
【符号の説明】
１０１…Ａ網、１０２…Ｂ網、１０３…共通線網、１０４…Ａ網ＳＣＰ、１０５…Ａ網関門交換機、１０６…Ａ網ＬＳ交換機、１０７…Ｂ網ＳＣＰ、１０８…Ｂ網ＬＳ交換機、１０９…Ｂ網関門交換機、１１０…移動体端末、１１１…ローミング移動体端末、２０１…Ａ網ＳＣＰ管理データ、２０２…機体番号、２０３…ローミング番号、２０４…サービスプロファイル、２０５…内線番号サービス情報、２０６…内線番号−ルーチング番号対応表、３０１…Ｂ網ＳＣＰ管理データ、３０２…機体番号、３０３…ローミング番号、４０１…内線番号、４０２…ルーチング番号。
【図１】
0004010471.tif 000002
【図２】
0004010471.tif 000003
【図３】
0004010471.tif 000004
【図４】
0004010471.tif 000005
【図５】
0004010471.tif 000006
【図６】
0004010471.tif 000007
【図７】
0004010471.tif 000008
【図８】
0004010471.tif 000009